(57)【特許請求の範囲】
【請求項１】
コンクリート壁を跨ぐコ字形に折り曲げ形成され、前記コンクリート壁に対する内側直立部に前記コンクリート壁の内面を圧接する圧接板を固着し、外側直立部にボルトを螺合するナットを設けてなるベースを備え、
前記外側直立部に、Ｕ字形に折り曲げ形成され、その基端の内側に二つのアンテナの取付用のポールを上下に移動可能に組み付けるとともに前記ポールを貫通して前記ベースのナットに螺合する前記ボルトを挿通し、その開放端に前記コンクリート壁の外面を圧接する圧接板を固着した支持金具を設け、
前記ボルトを前記ベースのナットに締め付けることにより、対向配置した前記二枚の圧接板で前記コンクリート壁を挟み付け、前記ベースに組み付けた前記ポールと前記コンクリート壁との間隔を変えずに、前記ベースを前記コンクリート壁の上端に固定し、
前記ポールを前記ベースよりも下方に前記二つのアンテナを取り付け得る長さで形成し、
前記ポールにおける前記二つのアンテナの取付位置の間に、前記コンクリート壁の外面に接する振れ止め用の支持具を設けた、
ことを特徴とするアンテナ取付具。
【請求項２】
コンクリート壁を跨ぐコ字形に折り曲げ形成され、前記コンクリート壁に対する外側直立部に前記コンクリート壁の外面を圧接する圧接板を固着し、内側直立部にボルトを螺合するナットを設けてなるベースを備え、
前記外側直立部に、前記ポールを上下移動可能に組み付け、
前記内側直立部に、Ｕ字形に折り曲げ形成され、その基端に前記ベースのナットに螺合する前記ボルトを挿通し、その開放端に前記コンクリート壁の内面を圧接する圧接板を固着した固定金具を設けるか、または、前記ボルトを前記ベースのナットに螺合し、前記ボルトの先端に前記コンクリート壁の内面を圧接する圧接板を保持するかして、
前記ボルトを前記ベースのナットに締め付けることにより、対向配置した前記二枚の圧接板で前記コンクリート壁を挟み付け、前記ベースに組み付けた前記ポールと前記コンクリート壁との間隔を変えずに、前記ベースを前記コンクリート壁の上端に固定し、
前記ポールを前記ベースよりも下方に前記二つのアンテナを取り付け得る長さで形成し、
前記ポールにおける前記二つのアンテナの取付位置の間に、前記コンクリート壁の外面に接する振れ止め用の支持具を設けた、
ことを特徴とするアンテナ取付具。
【請求項３】
前記ポールの長手方向に複数の孔を形成し、
前記孔を貫通するボルトで前記ポールを前記ベースに対し高さ調節可能に組み付けた、
請求項１又は２記載のアンテナ取付具。
【請求項４】
前記ベースの外側直立部に支持金具を固定し、
前記支持金具に前記ポールを上下にスライド可能に支持するとともに、前記ポールを前記ベースの外側直立部に締め付けるボルトを設けた、
請求項２記載のアンテナ取付具。
【請求項５】
前記ポールの一端部をボルトで前記ベースの外側直立部に回動可能に組み付けた、
請求項２記載のアンテナ取付具。
【請求項６】
前記ベースと前記ポールの間に、前記ポールの回動を規制する回り止め部を設けた、
請求項５記載のアンテナ取付具。
【請求項７】
前記ポールにアンテナを下側から受けるストッパを設けた、
請求項１、２、３、４、５又は６のいずれかに記載のアンテナ取付具。
【発明の詳細な説明】
【０００１】
【発明の属する技術分野】
本発明は、アンテナを住宅のベランダや外壁等の建造物に取り付けるためのアンテナ取付具に関するものである。
【０００２】
【従来の技術】
従来のアンテナ取付具として、図１２に示すように、ベランダのコンクリート壁３の上端にベース５１を固定し、ベース５１にポール５２を上向きに溶接し、ポール５２に、パラボラアンテナ１４をコンクリート壁３の上端より上方の位置に取り付ける技術が知られている（例えば、実用新案登録公報第２５９０１１５号、意匠公報第９３９６２０号参照）。
【０００３】
【発明が解決しようとする課題】
しかしながら、従来のアンテナ取付具は、ベース５１にポール５２が上向きに溶接されているため、パラボラアンテナ１４の取付位置がベース５１の上方、すなわちコンクリート壁３の上端より上方に限られるという問題があった。この結果、以下のような不具合があった。
（１）  風による影響を受けやすく、取付具に大きな負荷がかかる。
（２）  室内やベランダからの景観を損なう。
（３）  アンテナにより日陰ができ、日当たりが悪くなる。
（４）  アンテナが妨げとなって布団を干せなくなる等、ベランダを有効利用できない。
（５）  上記不都合は二つのアンテナを取り付ける場合に顕著である。
【０００４】
そこで、本発明の課題は、使用状況に応じて、アンテナをベースの上方又は下方あるいは両方に取り付けることができるアンテナ取付具を提供することにある。
【０００５】
【課題を解決するための手段】
上記の課題を解決するために、請求項１の発明によるアンテナ取付具は、コンクリート壁を跨ぐコ字形に折り曲げ形成され、前記コンクリート壁に対する内側直立部に前記コンクリート壁の内面を圧接する圧接板を固着し、外側直立部にボルトを螺合するナットを設けてなるベースを備え、前記外側直立部に、Ｕ字形に折り曲げ形成され、その基端の内側に二つのアンテナの取付用のポールを上下に移動可能に組み付けるとともに前記ポールを貫通して前記ベースのナットに螺合する前記ボルトを挿通し、その開放端に前記コンクリート壁の外面を圧接する圧接板を固着した支持金具を設け、前記ボルトを前記ベースのナットに締め付けることにより、対向配置した前記二枚の圧接板で前記コンクリート壁を挟み付け、前記ベースに組み付けた前記ポールと前記コンクリート壁との間隔を変えずに、前記ベースを前記コンクリート壁の上端に固定し、前記ポールを前記ベースよりも下方に前記二つのアンテナを取り付け得る長さで形成し、前記ポールにおける前記二つのアンテナの取付位置の間に、前記コンクリート壁の外面に接する振れ止め用の支持具を設けたことを特徴とする。
【０００６】
請求項２の発明によるアンテナ取付具は、コンクリート壁を跨ぐコ字形に折り曲げ形成され、前記コンクリート壁に対する外側直立部に前記コンクリート壁の外面を圧接する圧接板を固着し、内側直立部にボルトを螺合するナットを設けてなるベースを備え、前記外側直立部に、前記ポールを上下移動可能に組み付け、前記内側直立部に、Ｕ字形に折り曲げ形成され、その基端に前記ベースのナットに螺合する前記ボルトを挿通し、その開放端に前記コンクリート壁の内面を圧接する圧接板を固着した固定金具を設けるか、または、前記ボルトを前記ベースのナットに螺合し、前記ボルトの先端に前記コンクリート壁の内面を圧接する圧接板を保持するかして、前記ボルトを前記ベースのナットに締め付けることにより、対向配置した前記二枚の圧接板で前記コンクリート壁を挟み付け、前記ベースに組み付けた前記ポールと前記コンクリート壁との間隔を変えずに、前記ベースを前記コンクリート壁の上端に固定し、前記ポールを前記ベースよりも下方に前記二つのアンテナを取り付け得る長さで形成し、前記ポールにおける前記二つのアンテナの取付位置の間に、前記コンクリート壁の外面に接する振れ止め用の支持具を設けたことを特徴とする。
【０００７】
請求項３の発明によるアンテナ取付具は、前記ポールの長手方向に複数の孔を形成し、前記孔を貫通するボルトで前記ポールを前記ベースに対し高さ調節可能に組み付けたことを特徴とする。
【０００８】
請求項４の発明によるアンテナ取付具は、前記ベースの外側直立部に支持金具を固定し、前記支持金具に前記ポールを上下にスライド可能に支持するとともに、前記ポールを前記ベースの外側直立部に締め付けるボルトを設けたことを特徴とする。
【０００９】
請求項５の発明によるアンテナ取付具は、前記ポールの一端部をボルトで前記ベースの外側直立部に回動可能に組み付けたことを特徴とする。
【００１０】
請求項６の発明によるアンテナ取付具は、前記ベースと前記ポールの間に、前記ポールの回動を規制する回り止め部を設けたことを特徴とする。
【００１１】
請求項７の発明によるアンテナ取付具は、前記ポールにアンテナを下側から受けるストッパを設けたことを特徴とする。
【００１２】
【発明の実施の形態】
以下、本発明の実施の形態を図面に基づいて説明する。
図１〜図５は、本発明の第一実施形態を示すものである。このアンテナ取付具は、ベランダのコンクリート壁３を跨ぐベース１を備えている。ベース１は、鋼製の角材を両側の直立部分１ａ，１ｂが平行となるようにコ字形に折り曲げて形成されており、ベランダ内側の直立部１ａには、コンクリート壁３の内面に圧接するゴム製の圧接板６が鋼板８を介して固着されている。両側の直立部分１ａ，１ｂに弾性を付与するために、コーナ部に切欠９が形成されている。
【００１３】
ベース１のベランダ外側の直立部１ｂには支持金具１０が上側ボルト１１により組み付けられている。支持金具１０はＵ字形に折り曲げられ、その基端に垂下片４が形成され、開放端にゴム製の圧接板７が鋼板１３を介して固着されている。そして、上側ボルト１１を外側直立部１ｂに固定したナット１９に締め付けることにより、二枚の圧接板６，７でコンクリート壁３を挟み付け、ベース１をコンクリート壁３の上端に固定できるようになっている。
【００１４】
支持金具１０の内側にはアンテナ取付用のポール２が挿通されている。ポール２は二つのアンテナ１４，１５を取り付け得る長さの鋼製パイプによりストレート状に形成され、その上端には雨水の浸入を防止するキャップ１６が冠着され、下端にはアンテナ１４を下側から受けるストッパ１７が固着されている。また、ポール２の長手方向には一定間隔で複数の孔１８が形成され、隣接する二つの孔１８を貫通する上側ボルト１１及び下側ボルト１２によって、ポール２がベース１に対し高さ調節可能に組み付けられている。なお、下側ボルト１２はポール２を支持金具１０に固定するためのもので、支持金具１０の垂下片４及びポール２を貫通してナット２０に締め付けられている。
【００１５】
上記構成のアンテナ取付具を用いて二つのアンテナを取り付ける場合には、図４に示すように、ポール２の中間部を上下のボルト１１，１２で支持金具１０に固定し、例えばパラボラアンテナ１４をベース１の下方に、平面アンテナ１５をベース１の上方に取り付ける。こうすれば、二つのアンテナ１４、１５をベース１の上下両方にバランスよく取り付けることができる。
【００１６】
また、図５に示すように、ポール２の上端部を支持金具１０に固定すれば、パラボラアンテナ１４と平面アンテナ１５の双方をベース１の下方に取り付けることができる。この場合は、二つのアンテナ１４、１５がコンクリート壁３の上端より下方に位置するため、風による影響を少なくでき、景観や日当たりがよくなり、布団干しの妨げにもならず、ベランダを有効活用することができる。
【００１７】
何等かの理由でアンテナをコンクリート壁３の外側に配置できない場合には、ポール２の下端部を支持金具１０に固定し、二つのアンテナ１４、１５を共にベース１の上方に取り付ける。その他、一つのアンテナをベース１の上方又は下方に取り付けることもでき、用途、設置環境、好み等に応じてアンテナの取付位置を自由に選択できる利点がある。
【００１８】
特に、この実施形態のアンテナ取付具によれば、二本のボルト１１，１２がポール２の孔１８を貫通してナット１９，２０に締め付けられるので、アンテナの重量でポール２がずれ下がるおそれがなく、ベース１に対し所望の高さに強固に保持することができる。また、ポール２に対しアンテナがずれ下がった場合でも、これをポール２の下端でストッパ１７により確実に停止させることができる。
【００１９】
図６、図７は本発明の第二実施形態を示す。この実施形態のアンテナ取付具においては、ベース１の内側直立部１ａにナット３１が固着され、ナット３１に螺合するボルト３２によりＵ字形の固定金具３３が組み付けられている。固定金具３３の開放端には鋼板８を介し圧接板６が固着され、反対側の圧接板７は外側直立部１ｂに鋼板１３を介して固着されている。そして、ベランダの内側からボルト３２をナット３１に締め付けることにより、二枚の圧接板６，７でコンクリート壁３を挟み付け、ベース１をコンクリート壁３の上端に固定できるようになっている。
【００２０】
外側直立部１ｂにはＵ字形の支持金具１０が溶接により固定され、その内側にポール２が上下にスライド可能に支持されている。ポール２は二つのアンテナを取り付け得る長さで形成され、上端にキャップ１６を、下端にストッパ１７を備えている。支持金具１０の内側にはナット３４が固着され、ナット３４にボルト３５が螺合され、ボルト３５によってポール２が外側直立部１ｂに締め付けられている。
【００２１】
上記構成によれば、支持金具１０にポール２をスライド可能に支持し、ボルト３５でベース１に締め付けたので、ボルト３５を緩めたり締め付けたりするだけの簡単な操作でポール２の高さを無段階に調節することができる。その他の作用効果は第一実施形態と同様である。
【００２２】
図８、図９は本発明の第三実施形態を示す。この実施形態のアンテナ取付具においては、第二実施形態と同様、ベース１がベランダ内側の固定金具３３でコンクリート壁３に固定されている。ポール２は一つのアンテナを取り付け得る長さで形成され、その一端部にてボルト２２によりベース１に対し上下に回動可能に組み付けられている。ボルト２２はポール２及び外側直立部１ｂを貫通し、外側直立部１ｂに固定したナット２３に螺合されている。外側直立部１ｂの外面には凹部１ｃが上下に長く形成され、ポール２の回動を規制する回り止め部として機能する。
【００２３】
そして、ボルト２２を緩めることにより、ポール２を図８に実線で示す垂下位置又は鎖線で示す起立位置に回動し、各位置でボルト２２を締め付けることによりポール２をベース１に強固に保持できるようになっている。この構成によれば、ポール２の回動によりアンテナの取付位置をベース１の上方又は下方に容易に変更することができる。
【００２４】
図１０は、本発明の第四実施形態を示す。この実施形態のアンテナ取付具においては、ベース１をコンクリート壁３に固定するためのボルト３０が内側直立部１ａのナット３１に螺合され、ボルト３０の先端に圧接板６が保持されている。ポール２の一端部はホルダ２５に嵌入され、ホルダ２５はボルト２６により外側直立部１ｂに対し上下に回動可能に支持されている。ボルト２６はホルダ２５及びポール２を貫通して外側直立部１ｂのナット２７に螺合されている。外側直立部１ｂとホルダ２５との間には噛合座金２４が介装され、ポール２の回動を規制する回り止め部として機能する。
【００２５】
この構成によれば、ポール２の回り止めに噛合座金２４を用いたので、ポールを垂下位置と起立位置のほかに傾斜位置にも保持することができる。その他の作用効果は第三実施形態と同様である。
【００２６】
なお、本発明は上記実施形態に限定されるものではなく、以下に例示するように、発明の趣旨を逸脱しない範囲で各部の形状並びに構成を適宜に変更して実施することも可能である。
（１）  図１１に示すように、ベースを二枚の鋼板２７，２８で構成し、鋼板２７，２８を複数のボルト５でベランダ等のフェンス２９に固定し、外側の鋼板２８にポール２を上下にスライド可能又は回動可能に支持すること。
（２）  ベースを釘で家屋の木製の柱に固定したり、アンカーボルトでコンクリート製の外壁に固定すること。
（３）  図６、図７の第二実施形態において、ポール２の長手方向にボルトの先端が引っかかる複数の孔又は凹部を形成し、ポール２の滑り止めとすること。
（４）  ストッパ１７及びキャップ１６に同じネジ部品を用い、ポール２の両端に螺着すること。
（５）  ポール２を二つのアンテナを取り付け得る長さで形成した場合、図５に鎖線で示すように、ポール２に振れ止め用の支持具３７を設けること。
【００２７】
【発明の効果】
以上詳述したように、請求項１、２の発明によれば、ポールをベースに対し上下に移動可能に組み付けたので、使用状況に応じて、アンテナをベースの上方又は下方或いは両方に取り付けることができるという効果がある。また、ポールを長く形成したので、一つの取付具で二つのアンテナを取り付けることができる効果がある。また、ポールをベースよりも下方に二つのアンテナを取り付け得る長さで組み付けて形成した場合、二つのアンテナがコンクリート壁の上端より下方に位置するため、風による影響を少なくでき、景観や日当たりがよくなり、布団干しの妨げにもならず、ベランダを有効活用することができる。また、ポールにおける二つのアンテナの取付位置の間に、コンクリート壁の片面に接する支持具を設けたので、ポールを振れ止めできる。
【００２８】
請求項３の発明によれば、ポールの長手方向に複数の孔を形成したので、孔を選択することによりポールの高さを段階的に調整することができ、また孔を貫通するボルトでポールをベースに対し強固に組み付けることができるという効果がある。
【００２９】
請求項４の発明によれば、支持金具にポールを上下にスライド可能に支持し、ボルトでベースに締め付けたので、ボルトによる簡単な操作でポールの高さを無段階に調整することができるという効果がある。
【００３１】
請求項５の発明によれば、ポールをベースに回動可能に組み付けたので、ポールの回動によりアンテナの取付位置を容易に変更できるという効果がある。
【００３２】
請求項６の発明によれば、ベースとポールとの間に回り止め部を設けたので、ポールをベースより上方又は下方の位置で強固に保持できるという効果がある。
【００３３】
請求項７の発明によれば、ポールにストッパを設けたので、ポールの定位置にアンテナを確実に保持することができる効果がある。
【図面の簡単な説明】
【図１】本発明の第一実施形態を示すアンテナ取付具の使用説明図である。
【図２】図１のアンテナ取付具を示す斜視図である。
【図３】図１のアンテナ取付具の要部を破断して示す正面図である。
【図４】図１のアンテナ取付具の使用状態を示す正面図である。
【図５】図１のアンテナ取付具の別の使用状態を示す正面図である。
【図６】本発明の第二実施形態を示すアンテナ取付具の正面図である。
【図７】図６のＡ−Ａ線の断面図である。
【図８】本発明の第三実施形態を示すアンテナ取付具の正面図である。
【図９】図８のＢ−Ｂ線の断面図である。
【図１０】本発明の第四実施形態を示すアンテナ取付具の正面図である。
【図１１】本発明のアンテナ取付具の別の設置形態を示す斜視図である。
【図１２】従来のアンテナ取付具の正面図である。
【符号の説明】
１・・ベース、１ｃ・・凹部、２・・ポール、３・・コンクリート壁、４・・垂下片、１１・・ボルト、１２・・ボルト、１４・・パラボラアンテナ、１５・・平面アンテナ、１６・・キャップ、１７・・ストッパ、１８・・孔、２２・・ボルト、２４・・噛合座金、２６・・ボルト。
【図１】
0004472897.tif 000002
【図２】
0004472897.tif 000003
【図３】
0004472897.tif 000004
【図４】
0004472897.tif 000005
【図５】
0004472897.tif 000006
【図６】
0004472897.tif 000007
【図７】
0004472897.tif 000008
【図８】
0004472897.tif 000009
【図９】
0004472897.tif 000010
【図１０】
0004472897.tif 000011
【図１１】
0004472897.tif 000012
【図１２】
0004472897.tif 000013